(57)【要約】【課題】帯の長さ方向の中間部分に幅寸法ｗより幅狭い幅寸法ｗ０ の幅狭領域を形成することにより、簡易的に手際よく、且つ、見栄えよく着用することができるように構成した和装用帯を提供すること。【解決手段】幅寸法ｗでなる和装用帯１において、前記帯１の長さ方向両端側１ａ、１ａに、それぞれ幅寸法ｗの全幅領域２、２を残して、前記帯の長さ方向中間部分１ｂに、幅寸法ｗ０ の幅狭領域３を形成し、前記幅寸法ｗでなる全幅領域２、２が、前記帯の長さ方向の両端側に、それぞれ帯全長Ｌの約１／４の長さ寸法に形成され、前記幅寸法ｗ０ でなる幅狭領域３が、前記帯の長さ方向の中間部分に、帯全長の約１／２の長さ寸法に形成されているものからなる和装用帯。【選択図】図１
2005171407.tif 000002
【特許請求の範囲】
【請求項１】
幅寸法ｗでなる和装用帯において、前記帯の長さ方向両端側に、それぞれ幅寸法ｗの全幅領域を残して、前記帯の長さ方向中間部分に、幅寸法ｗ０ の幅狭領域を形成してなることを特徴とする和装用帯。
【請求項２】
前記幅寸法ｗでなる全幅領域が、前記帯の長さ方向の両端側に、それぞれ帯全長の２５〜３０％の長さ寸法に形成され、前記幅寸法ｗ０ でなる幅狭領域が、前記帯の長さ方向の中間部分に、帯全長の４０〜５０％の長さ寸法に形成されているものからなることを特徴とする請求項１に記載の和装用帯。
【請求項３】
前記幅狭領域の幅寸法ｗ０ が、前記全幅領域の幅寸法ｗに対して、８５％〜６５％幅であることを特徴とする請求項１あるいは請求項２に記載の和装用帯。
【請求項４】
帯の幅方向の一側縁に沿って、前記帯の一部分を取り除いて前記幅寸法ｗ０ でなる幅狭領域を形成してなることを特徴とする請求項１〜請求項３のいずれかに記載の和装用帯。
【請求項５】
帯の幅方向の両側縁に沿って、前記帯の一部分を取り除いて前記幅寸法ｗ０ でなる幅狭領域を形成してなることを特徴とする請求項１〜請求項３のいずれかに記載の和装用帯。
【請求項６】
前記帯の長さ方向の両端側における全幅領域に対して、前記帯の長さ方向に対称となる柄模様を設けてなることを特徴とする請求項１〜請求項５のいずれかに記載の和装用帯。
【発明の詳細な説明】
【技術分野】
【０００１】
この発明は、和装用の帯に関するものであって、特に、当該帯の長さ方向の中間部分に帯の全幅寸法ｗより幅狭い幅寸法ｗ０ の幅狭領域を形成したもので、それにより、簡易的に手際よく、且つ、見栄えよく着用することができるように構成した和装用帯に関するものである。
【背景技術】
【０００２】
周知のように、和装用の帯は、専ら、着用するきものを着用者の体型にあわせて身体に固定するためのものとして用いられるものであり、且つ、きものの服飾美を高めるものとして大きな役割をはたしている。この種の和装用帯は、従来から典型的な規定寸法のものとして提供されているものであって、着用に際しては、着用者の体型にしたがって、太鼓部分など好みの形態に型作りをしながら、きものの上に巻き付けるものであった。このきものの着付け並びに帯の装着は甚だ煩雑なもので、結果的に和服の着用が敬遠される大きな原因となっていた。
【０００３】
一方また、帯の装着を簡易的に行うべく、細幅の和装用帯が提供されている。しかしながら、この細幅帯は、着用した状態において貧弱であり、特に、太鼓部分を形作る場合において、変化性に富んだ見栄えのある太鼓部分を形作ることができないなどの問題点を有していた。
【０００４】
さらに、従来の技術において、上記するような問題に対しては、図３に示すような形態の名古屋帯が用いられていた。この名古屋帯１１は、全長にわたって帯幅ｗａ に仕立てられた帯であり、着用に際して、太鼓部分１２を長さ寸法Ｌａ の範囲にわたり、そのままの幅ｗａ にしておき、胴に巻く胴巻き部分１３を長さ寸法Ｌｂ の範囲にわたり半幅ｗｂ に折り畳んで着用するものである。このような構成のものは、着用に際して、胴巻き部分１３をきちんと折り畳まなければならず、しかも、胴廻りに圧迫感が生じ、重量的にも問題があり、動き難いなど多くの問題点を有していた。
【０００５】
この種の和装用帯において、上記すると同様に太鼓部分を残して胴巻き部分を半幅に折り畳んで着用する構成のものが特許文献１に開示されている。この特許文献１に開示されている和装用帯は、太鼓部Ａをそのまま全幅にしておき、第１胴巻部Ｂ１および第２胴巻部Ｂ２を半幅に折り畳むに際して、ホック１１、１３を設けた構成のものである。この特許文献１に開示されているものも、着用に際して、胴巻き部分をきちんと折り畳まなければならず、しかも、胴廻りに圧迫感が生じ、重量的にも問題があり、動き難いなど多くの問題点を有している。
【０００６】
【特許文献１】実開平７−２１７２４号公報（要約、図２各図）
【発明の開示】
【発明が解決しようとする課題】
【０００７】
そこで、この発明では、上記する従来技術の問題点を解消すべくなしたものであって、特に重要な要素は、構造を簡略化するとともに、例えば、帯の長さ方向の少なくとも一端側部分に太鼓部分に対応する幅寸法ｗの全幅部分を残し、当該帯の長さ方向中間部分に幅寸法ｗより幅狭い幅寸法ｗ０ の幅狭領域を形成して、帯の装着を簡易的に手際よく行うことができるようにし、且つ、太鼓部分の形作りなどにおいて、変化性に富んだ見栄えのある着用を可能とするように構成した和装用帯を提供することにある。
【課題を解決するための手段】
【０００８】
この発明は、上記する目的を達成するにあたって、具体的には、幅寸法ｗでなる和装用帯において、前記帯の長さ方向両端側に、それぞれ幅寸法ｗの全幅領域を残して、前記帯の長さ方向中間部分に、幅寸法ｗ０ の幅狭領域を形成してなることを特徴とする和装用帯を構成するものである。
【０００９】
さらに、この発明において請求項２に記載の発明は、請求項１に記載の和装用帯であって、前記幅寸法ｗでなる全幅領域が、前記帯の長さ方向の両端側に、それぞれ帯全長の２５〜３０％の長さ寸法に形成され、前記幅寸法ｗ０ でなる幅狭領域が、前記帯の長さ方向の中間部分に、帯全長の４０〜５０％の長さ寸法に形成されているものからなることを特徴とするものである。
【００１０】
さらにまた、この発明において請求項３に記載の発明は、請求項１あるいは請求項２に記載の発明であって、前記幅狭領域の幅寸法ｗ０ が、前記全幅領域の幅寸法ｗに対して、８５％〜６５％幅であることを特徴とするものである。
【００１１】
さらにまた、この発明において請求項４に記載の発明は、請求項１〜請求項３のいずれかに記載の発明であって、前記帯の幅方向の一側縁に沿って、前記帯の一部分を取り除いて前記幅寸法ｗ０ でなる幅狭領域を形成してなることを特徴とするものである。
【００１２】
さらにまた、この発明において請求項５に記載の発明は、請求項１〜請求項３のいずれかに記載の発明であって、前記帯の幅方向の両側縁に沿って、前記帯の一部分を取り除いて前記幅寸法ｗ０ でなる幅狭領域を形成してなることを特徴とするものである。
【００１３】
さらにまた、この発明において請求項６に記載の発明は、請求項１〜請求項５のいずれかに記載の発明であって、前記帯の長さ方向の両端側における全幅領域に対して、前記帯の長さ方向に対称となる柄模様を設けてなることを特徴とするものである。
【発明の効果】
【００１４】
この発明になる和装用帯は、まず第１に、構造が極めて簡素的であり、製造加工が極めて容易であり、多量生産に適合する等の点において経済的に極めて有利に作用するものといえる。第２には、幅寸法ｗでなる和装用帯において、帯の長さ方向両端側に、それぞれ幅寸法ｗの全幅領域を残して、該帯の長さ方向中間部分に、幅寸法ｗ０ の幅狭領域を形成したものであって、この幅寸法ｗでなる全幅領域が、帯の長さ方向の両端側に、それぞれ帯全長の２５〜３０％の長さ寸法に形成され、幅寸法ｗ０ でなる幅狭領域が、帯の長さ方向の中間部分に、帯全長の４０〜５０％の長さ寸法に形成したことにより、胴巻き部が幅狭領域で構成され、太鼓部分が全幅領域で構成されるので、初めての人でも取り扱い易く、特に、胴巻きのときに、帯を折り畳まなくてもよいので、装着が容易であり、且つ、その分だけ軽量化されるなどの作用効果を奏し、太鼓部分の形作り時には、変化性に富んだバリエーションのある太鼓を結ぶことができるなどの点においても極めて有効に作用するものといえる。
【００１５】
さらに、この発明になる和装用帯によれば、前記帯の長さ方向の両端側に、幅寸法ｗでなる全幅領域を設けたものであり、当該全幅領域に対して、前記帯の長さ方向に左右対称となるような柄模様を設けたことにより、手先と前紋の区別がなく、どちらから巻いても問題がないなどの点においても極めて有効に作用するものといえる。
【発明を実施するための最良の形態】
【００１６】
以下、この発明になる和装用帯について、図面に示す具体的な実施例にもとづいて詳細に説明する。図１は、この発明になる和装用帯の基本的な構成例に関し、その具体的な実施例を示す概略的な平面図である。一方また、図２は、この発明になる和装用帯の幾つかの異なる形態の変形例を示す概略的な平面図である。図３は、従来の名古屋帯の一構成例を示す概略的な平面図である。
【００１７】
まず、この発明になる和装用帯１について、図１および図２に基づいて詳細に説明する。この発明において、前記和装用帯１は、例えば、図１に示す基本的な構成例のもののように、幅寸法ｗでなる和装用帯１において、帯の長さ方向両端側１ａ、１ａに、それぞれ幅寸法ｗの全幅領域２、２を残して、当該帯の長さ方向中間部分１ｂに、幅寸法ｗ０ の幅狭領域３を形成してなるものである。
【００１８】
さらに、この発明になる和装用帯１は、上記する基本的構成に関連して、幅寸法ｗでなる全幅領域２、２が、前記帯の長さ方向の両端側１ａ、１ａに、それぞれ帯全長Ｌの約１／４の長さ寸法に形成されており、前記幅寸法ｗ０ でなる幅狭領域３が、前記帯の長さ方向の中間部分１ｂに、帯全長の約１／２の長さ寸法に形成されている。さらにまた、この発明になる和装用帯１は、前記幅狭領域３の幅寸法ｗ０ が、前記全幅領域２の幅寸法ｗに対して、８５％〜６５％幅ものからなっており、好ましくは、８０％〜７０％幅に形成されている。
【００１９】
この発明になる和装用帯１は、より具体的には、全幅領域２、２の幅寸法ｗが、約１９ｃｍ〜３２ｃｍ程度（約５寸〜８寸５分程度）のものであって、帯の全長寸法Ｌが、約４ｍ２０ｃｍ程度（約１丈１尺程度）のものである。この長さ寸法については、着用者の体型に応じて適宜に設計変更される。
【００２０】
一方、この発明になる和装用帯１は、上記する基本的な幅寸法ｗならびに全長寸法Ｌに対して、幅狭領域３の幅寸法ｗ０ は、幅寸法ｗに対して８０％幅である場合には、約１５ｃｍ〜２６ｃｍ程度（約４寸〜６寸８分程度）のものである。この実施例において、帯の長さ方向の寸法Ｌに対する全幅領域２、２の長さ方向の寸法Ｌ１ は、それぞれ約１１４ｃｍ程度（約３尺程度）のものであり、幅狭領域３の長さ方向の寸法Ｌ２ は、約１９０ｃｍ程度（約５尺程度）のものである。
【００２１】
さらに、この発明になる和装用帯１は、図２Ａに示すもののように、前記帯の幅方向の一側縁１ｃに沿って、当該帯の一部分を取り除いて幅寸法ｗ０ でなる幅狭領域３を形成したものであってもよいし、あるいは、前記帯の幅方向の両側縁１ｃ、１ｄに沿って、当該帯の一部分を取り除いて幅寸法ｗ０ でなる幅狭領域３を形成したものであってもよい。
【００２２】
さらに、この発明になる和装用帯１は、前記帯の長さ方向の両端側１ａ、１ａにおける全幅領域２、２に対して、前記帯の長さ方向に対称となる柄模様４、４を設けておくことができる。このように構成しておくことにより、手先と前紋の区別がなく、どちらから巻いても問題がない帯として用いることができる。
【図面の簡単な説明】
【００２３】
【図１】図１は、この発明になる和装用帯の基本的な構成例に関して、その具体的な実施例を示す概略的な平面図である。
【図２】図２は、この発明になる和装用帯の幾つかの異なる形態の変形例を示す概略的な平面図である。
【図３】図３は、従来の名古屋帯の一構成例を示す概略的な平面図である。
【符号の説明】
【００２４】
１  和装用帯
１ａ、１ａ  帯の長さ方向両端側
１ｂ  帯の長さ方向中間部分
１ｃ、１ｄ  帯の長さ方向に沿った両側縁
２、２  幅寸法ｗの全幅領域
３  幅寸法ｗ０ の幅狭領域
４  柄模様
ｗ  全幅領域の幅寸法
ｗ０ 幅狭領域の幅寸法
Ｌ  帯の全長寸法
Ｌ１ 全幅領域の長さ方向の寸法
Ｌ２ 幅狭領域の長さ方向の寸法
【図１】
2005171407.tif 000003
【図２】
2005171407.tif 000004
【図３】
2005171407.tif 000005